(57)【要約】【課題】容器本体内に収容した検液を検査容器等に分注するときに、その検液が汚染されることがないようにし、しかも検液を検査容器等に分注する操作を行い易くした拭き取り検査具を提供する。【解決手段】容器本体１の内部を希釈液Ｌの収容空間５とし、この収容空間５には希釈液Ｌが収容されており、下端部を細くするとともに、この細くした部分の一部に周囲を薄くした弱め部６を形成し、さらにこの弱め部６より下端側に抜け止め部７および回り止め部８を設けたものとし、この細くした部分の全体か、少なくとも前記弱め部６、抜け止め部７および回り止め部８に、容器本体１とは材質の異なる合成樹脂を密接させてなる分離部９を設けたものとし、さらに容器本体１の下端部の細くした部分の内部は前記収容空間５に続く連通路１１とし、この連通路１１に前記収容空間５に収容した希釈液Ｌが流入するようにしている。【選択図】図２
2008032541.tif 000002
【特許請求の範囲】
【請求項１】
合成樹脂よりなる容器本体（１）と、この容器本体（１）に着脱可能に装着されるキャップ（２）と、このキャップ（２）に固定され先端に綿球（３）を保持する綿棒軸（４）とから構成されたものとし、前記容器本体（１）は、内部を希釈液（Ｌ）の収容空間（５）とし、この収容空間（５）には希釈液（Ｌ）が収容されており、下端部を細くするとともに、この細くした部分の一部に周囲を薄くした弱め部（６）を形成し、さらにこの弱め部（６）より下端側に抜け止め部（７）および回り止め部（８）を設けたものとし、この細くした部分の全体か、少なくとも前記弱め部（６）、抜け止め部（７）および回り止め部（８）に、容器本体（１）とは材質の異なる合成樹脂を密接させてなる分離部（９）を設けたものとし、さらに容器本体（１）の下端部の細くした部分の内部は前記収容空間（５）に続く連通路（１１）とし、この連通路（１１）に前記収容空間（５）に収容した希釈液（Ｌ）が流入するようにしたことを特徴とする拭き取り検査具。
【請求項２】
前記容器本体（１）の中間胴部の周囲を薄くして、圧縮変形が可能なものにしたことを特徴とする請求項１記載の拭き取り検査具。
【請求項３】
前記容器本体（１）の細くした部分の弱め部（６）より上方の外周にネジ溝（１０）を切ったものとしたことを特徴とする請求項１記載の拭き取り検査具。
【発明の詳細な説明】
【技術分野】
【０００１】
この発明は、飲食物の製造や加工に使用される器具や機材等が清潔で衛生的であるかどうかを検査するのに用いられる拭き取り検査具に関するものである。
【背景技術】
【０００２】
従来、この種の拭き取り検査具として、例えば図７に示したような拭き取り検査キットが存在する。この拭き取り検査キットは、希釈液Ｌを収容する容器本体２１と、この容器本体２１の開口部に着脱可能に装着されるキャップ２２と、このキャップ２２に固定または一体化された綿棒軸２３と、この綿棒軸２３の先端に取り付けられてキャップ２２の密栓状態において希釈液Ｌ中に浸漬される綿球２４とを有してなるものとしている。さらに、前記キャップ２２には、図８に示したようにキャップ２２の密栓状態において容器本体２１の内部と連通する連通路２５が設けられ、この連通路２５の上端開口を気密および液密に閉止可能な上蓋２６が設けられており、上蓋２６を開くことによってキャップ２２が密栓状態のまま容器本体２１の内部の液を連通路２５およびその上端開口を介して排出可能なものとしている（特許文献１）。
【０００３】
このように構成された従来の拭き取り検査キットは、次のようにして拭き取り検査を行うものとしている。
【０００４】
先ず、キャップ２２を開栓して、このキャップ２２を摘んで持ち上げ、希釈液Ｌが付着された綿球２４を取り付けた綿棒軸２３を、容器本体２１から抜き出す。次に、希釈液Ｌが付着された綿球２４で検体表面を拭き取り、再度この綿球２４を容器本体２１に戻して、キャップ２２を密栓する。そして、キャップ２２の密栓状態を維持しつつ、図７（ｂ）に示したように上蓋２６を開けるとともに、図７（ｃ）に示したように容器本体２１を逆さにして、容器本体２１内の検液を連通路２５およびその上端開口を介して所定の検査容器に必要量分注するようにしている。
【特許文献１】特開２００３−３４４２３２号公報（第２頁、図５、６）
【発明の開示】
【発明が解決しようとする課題】
【０００５】
しかしながら、従来の拭き取り検査キットでは、拭き取り検査を行う場合、前記したようにキャップ２２を開栓して、このキャップ２２を摘んで持ち上げるときに、誤って上蓋２６を開き使用者の手指が接触することもあり、この部分が使用者の手指に付着した大腸菌等によって汚染されることがある。
【０００６】
そして、従来の拭き取り検査キットでは、容器本体２１を逆さにして、容器本体２１内の検液を連通路２５およびその上端開口を介して所定の検査容器に必要量分注するようにしているので、このとき検液が汚染されたキャップ２２や上蓋２６に接触することもあり、検液が汚染されてしまうことがあるという問題点を有していた。
【０００７】
さらに、従来の拭き取り検査キットでは、容器本体２１内の検液を検査容器に分注する場合、前記したように上蓋２６を開けるとともに、容器本体２１を逆さにしなければならないため、この操作が面倒で行い難いという問題点を有していた。
【０００８】
そこで、この発明は、上記従来の問題点を解決するものであり、容器本体内に収容した検液を、一旦、手指が接触したキャップ側から検査容器等に分注するのではなく、一度も手指が接触していない部分から検査容器等に分注するようにして、この検液が汚染されることがないようにし、しかも検液を検査容器等に分注する操作を行い易くした拭き取り検査具を提供することを目的としてなされたものである。
【課題を解決するための手段】
【０００９】
そのため、この発明の拭き取り検査具は、合成樹脂よりなる容器本体１と、この容器本体１に着脱可能に装着されるキャップ２と、このキャップ２に固定され先端に綿球３を保持する綿棒軸４とから構成されたものとし、前記容器本体１は、内部を希釈液Ｌの収容空間５とし、この収容空間５には希釈液Ｌが収容されており、下端部を細くするとともに、この細くした部分の一部に周囲を薄くした弱め部６を形成し、さらにこの弱め部６より下端側に抜け止め部７および回り止め部８を設けたものとし、この細くした部分の全体か、少なくとも前記弱め部６、抜け止め部７および回り止め部８に、容器本体１とは材質の異なる合成樹脂を密接させてなる分離部９を設けたものとし、さらに容器本体１の下端部の細くした部分の内部は前記収容空間５に続く連通路１１とし、この連通路１１に前記収容空間５に収容した希釈液Ｌが流入するようにしている。
【００１０】
そして、この発明の拭き取り検査具は、前記容器本体１の中間胴部の周囲を薄くして、圧縮変形が可能なものにすることができる。
【００１１】
さらに、この発明の拭き取り検査具は、前記容器本体１の細くした部分の弱め部６より上方の外周にネジ溝１０を切ったものとすることができる。
【発明の効果】
【００１２】
この発明の拭き取り検査具は、以上に述べたように構成されているので、容器本体内に収容した検液を検査容器等に分注するときに、この検液が汚染されることのないものとなるとともに、検液を検査容器等に分注する操作が行い易いものとなった。
【発明を実施するための最良の形態】
【００１３】
以下、この発明の拭き取り検査具の実施の形態を、図面に基づいて詳細に説明する。
【００１４】
この発明の拭き取り検査具は、図１に示したように、合成樹脂成形された容器本体１と、この容器本体１の上端開口を密栓するように着脱可能に装着されるキャップ２と、このキャップ２に固定され先端に綿球３を保持する綿棒軸４とから構成されている。
【００１５】
前記容器本体１は、略円筒形状に形成され、内部を希釈液Ｌの収容空間５とし、この収容空間５には前記綿棒軸４の先端に保持されている綿球３が浸漬される量の希釈液Ｌが収容されている。なお、前記容器本体１には、綿球３が浸漬される量の希釈液Ｌが収容されていなくても、容器本体１を傾けたり、振盪させることにより前記綿球３に浸透され、適宜量が回収できる量の希釈液Ｌが収容されていればよい。
【００１６】
さらに、前記容器本体１は、使用者の手指による圧縮変形が可能なものとしても不可能なものとしてもよいが、使用者の手指による圧縮変形が可能なものとする場合には、容器本体１そのものを圧縮変形が可能なものにするに越したことはないが、容器本体１そのものが圧縮変形しなくても、容器本体１の中間胴部の周囲を図３に示したように薄くするなどすれば、圧縮変形が可能なものとすることができる。
【００１７】
また、前記容器本体１は、下端部を絞って細くするとともに、この細くした部分の一部に周囲を薄くした弱め部６を形成し、さらにこの弱め部６より下端側に、略円柱状に膨出させた抜け止め部７および略角柱状に垂下させた回り止め部８を設けたものとしており、この細くした部分の全体か、少なくとも弱め部６と、この弱め部６より下端側に設けた抜け止め部７および回り止め部８に、容器本体１とは材質の異なる合成樹脂で異材質成形するなどして密接させた分離部９を設けたものとし、下端部を中間胴部と略同一の太さにしている。なお、異材質成形する場合、例えば、容器本体１をポリプロピレンとしたときは、分離部９をアクリロニトリル・ブタジエン・スチレン共重合体、アクリロニトリル・スチレン共重合体等をすることができる。
【００１８】
さらに、前記容器本体１の細くした部分の弱め部６より上方の外周にはネジ溝１０を切ったものとし、前記したようにこの細くした部分の全体か、少なくともこのネジ溝１０を切った部分と、弱め部６と、この弱め部６より下端側に設けた抜け止め部７および回り止め部８に前記分離部９を設けたものとしてもよい。
【００１９】
なお、前記容器本体１の下端部を絞って細くした部分の内部は、収容空間５に続く連通路１１とし、この連通路１１に前記収容空間５の希釈液Ｌが流入するようにしている。希釈液Ｌとしては、例えば０．１％ヘプトン加生理食塩水が用いられる。
【００２０】
前記キャップ２は、ねじ込み式や押し込み式等として、容器本体１の上端開口に着脱可能に装着されており、使用者の手指によって容易に着脱操作をできるようにしており、密栓時には容器本体１内を気密および液密に維持するようにしている。
【００２１】
前記綿棒軸４は、中実または中空の棒状体としており、ねじ込み式や差し込み式等としてキャップ２の裏面中央に固定されている。図示したものは、キャップ２の裏面中央に中空筒状部１２を一体形成し、この中空筒状部１２に中実の綿棒軸４の上端を差し込んで固着したものとしている。
【００２２】
以上のように構成したこの発明の拭き取り検査具は、以下のようにして使用することができる。
【００２３】
先ず、キャップ２を開栓して、このキャップ２を摘んで持ち上げ、希釈液Ｌが付着された綿球３を取り付けた綿棒軸４を、容器本体１から抜き出し、この綿棒軸４に取り付けた綿球３で検体表面を拭き取り、再度この綿球３を容器本体１に戻してキャップ２を密栓する。すると、この検体表面を拭き取ることによって菌が付着された綿球３は、容器本体１に戻すことにより、希釈液Ｌに再度、浸漬されることになる。そして、キャップ２を密栓した状態で、容器本体１を振盪させることにより、綿球３に付着した菌を希釈液Ｌに落とし検液を調製する。
【００２４】
次に、生菌数や大腸菌群等の微生物検査をするには、前記検液を培地入りのシャーレや試験管の検査容器等に分注して培養するが、この検液をこれら検査容器等に分注するには、以下のようにして行う。
【００２５】
先ず、容器本体１またはキャップ２を手に持ち、容器本体１の下端部に設けた分離部９を手指で摘んで捩じると、この分離部９と一緒に容器本体１の抜け止め部７および回り止め部８が捩じられ、この捩じれ力が弱め部６に伝えられると、この弱め部６が引きちぎられる。
【００２６】
そして、手指で摘んだ分離部９を下方に引くことにより、容器本体１の抜け止め部７および回り止め部８とこの分離部９が容器本体１の下端部から外れて分離し、連通路１１の下部が開口する。なお、前記弱め部６より上方の外周にネジ溝１０を切ったものでは、前記手指で摘んだ分離部９をさらに捩じることによって、このネジ溝１０に沿って案内されながら前記抜け止め部７および回り止め部８とこの分離部９が容器本体１の下端部から外れて分離するので、この操作がよりスムーズに行える。
【００２７】
そこで、容器本体１の中間胴部を使用者の手指によって圧縮変形させれば、前記連通路１１の下部の開口から、容器本体１内の検液を滴下することができ、培地入りのシャーレや試験管の検査容器等に分注することができる。
【００２８】
したがって、この発明の拭き取り検査具では、容器本体１内に収容した検液を、一旦、使用者の手指が接触したキャップ２側から検査容器等に分注するのではなく、一度も使用者の手指が接触していない部分、すなわち容器本体１の下端部に設けた分離部９を捩じることにより連通路１１の下部に新たに形成された開口から検査容器等に分注するようにしているので、この検液が汚染されることはない。
【００２９】
さらに、この発明の拭き取り検査具では、容器本体１を逆さにすることなくそのままの状態で容器本体１の下端部に設けた分離部９を捩じるだけでよく、従来のように容器本体１の上蓋を開けた後、検査キットを逆さにしなくてもよいので、容器本体１内の検液を検査容器等に分注する操作は手間がかからず、行い易いものとなった。
【図面の簡単な説明】
【００３０】
【図１】この発明の拭き取り検査具の一実施形態を示す斜視図である。
【図２】図１に示すこの発明の拭き取り検査具の断面図である。
【図３】この発明の拭き取り検査具の他の実施形態の断面図である。
【図４】この発明の拭き取り検査具の容器本体の下端部および分離部を拡大して示す説明図である。
【図５】この発明の拭き取り検査具の容器本体の下端部から分離部を外した状態を示す説明図である。
【図６】この発明の拭き取り検査具の容器本体の下端部から分離部を外した状態を示す断面図である。
【図７】従来の拭き取り検査具の検液分注工程を示す説明図である。
【図８】従来の拭き取り検査具のキャップの上蓋の密栓状態を示す部分断面図である。
【符号の説明】
【００３１】
１  容器本体
２  キャップ
３  綿球
４  綿棒軸
５  収容空間
６  弱め部
７  抜け止め部
８  回り止め部
９  分離部
１０  ネジ溝
１１  連通路
Ｌ  希釈液
【図１】
2008032541.tif 000003
【図２】
2008032541.tif 000004
【図３】
2008032541.tif 000005
【図４】
2008032541.tif 000006
【図５】
2008032541.tif 000007
【図６】
2008032541.tif 000008
【図７】
2008032541.tif 000009
【図８】
2008032541.tif 000010